(57)【要約】      （修正有）【課題】回転、あるいは割り出し停止する面板上を、回転する加工工具が、取り付けられた摺動台で、加工工具を取り替え、機能の組み合せにより、多種類の切削加工、塑性加工、磨き加工を行うものである。【解決手段】ＮＣ制御装置と、割り出し停止可能な主軸面板に、同期運動が可能な差動装置を送り用、回転加工工具用それぞれに、加工に合った加工用アッタチメントを摺動台に取り付け、主軸台本体あるいは加工物を長手方向に、送りを掛けるとともに、本装置の機能を組み合わせる事により、多種類の加工と複合加工を可能にする。【選択図】なし【特許請求の範囲】
【請求項１】
ＮＣ装置が付いた主軸台装置で、割り出し機能付主軸端面に、回転加工も可能な工具を搭載した摺動台を備えた主軸装置において、同期運動が可能な差動装置により、上記の摺動台と係合して摺動送りをさせると共に、別の同期運動が可能な差動装置により摺動台に取り付けられた回転工具で、端面、円周の切削加工、研磨加工、塑性加工等を上記の機能を用いて加工する。又、回転工具位置にバイトホルダにてバイトを取り付ければ、旋削加工も可能になる。
【請求項２】
主軸装置の貫通穴に長尺加工物を通し、加工物の回転を固定し、面板と工具を回転させ、摺動台を動作させながら、長手方向の送りを加工物、あるいは、主軸台本体で行う事で、螺旋加工、テーパー加工、円柱加工ができる。
又、面板を割り出し固定し、摺動台と長手方向送りをすれば、多角形の角柱、あるいは角柱テーパー加工、溝、スパーギャ加工ができる。
【請求項３】
本装置により、加工物を回転させず加工できる為、加工物を両端から回転軸受による支持とは異なり、十分な引っ張り力で加工物を引っ張ることもでき、撓みが少なく、加工による振動を小さくでき、塑性加工においては、加工部の材料流れを良くすることができる。
【発明の詳細な説明】
【０００１】
【発明の属する技術分野】
本発明は主軸装置に関し、主軸端面に取り付けられた工具を摺動させる主軸装置に関する。
【０００２】
【従来の技術】
１．主軸の端面に、摺動が自在に支持された摺動台を設け、外部に設けられた油圧シリンダーより、主軸に環装されたテーパースリーブを軸方向に摺動させて、テーパーと係合した摺動台を摺動させ、取り付けた加工工具により加工を行う。
２．あるいは、遊星歯車装置を用い、摺動面を持つ面板と、摺動台を送るカム溝板の位相差により、摺動台のローラが、カム溝の上を動き、求心方向、あるいは、遠心方向に摺動台が動作し、取り付けられた工具により加工する。
【０００３】
【発明が解決しようとする課題】
１．従来の面板加工は、面板に切削工具、あるいは塑性加工用ローラー（駆動なし）を取り付け、面板を回転させ、求心方向に送りをして、丸物加工していたが、本装置は面板は回転、割り出し回転、固定もでき、面板に取り付けた工具は、独自の回転駆動によって、加工物を摺動台送りによって、丸加工、角形、端面、一点加工ができる。
２．１項の加工が、加工物固定で可能な事から、加工物を回転による撓み変形がなく、加工物か主軸台本体を、長手方向に送りを掛ければ、円柱、角柱、螺旋、テーパー柱の長尺物加工が可能になる。
３．加工物固定で、加工が可能であるから、回転しながら加工物を支持する必要がなく加工できる。
又、加工物を圧縮方向で支持するのではなく、引っ張り方向に支持すれば、
下記のような効果も生じさせることができる。
１）  加工を水平に設置した時の重力による撓みを少なくすることができる。
２）  加工力により振動を少なくすることができる。
３）  塑性加工においては、加工部の材料流れを良くすることができる。
【０００４】
【課題を解決するための手段】
目的を達成すべく本発明は、問題を解決する手段として次の構成をとる。
回転、あるいは、割り出し機能付主軸の端面に、回転加工工具を搭載して、摺動する摺動台を備えた主軸装置において、同期運動と差動運動を発生させる装置を各々に主軸１と、送り用伝達軸２と主軸１と工具回転伝達ギャ軸３を各々．連結する。
この構成にて以下の動作を可能にする。
１）主軸１と工具回転伝達ギャ軸３を回転させ１１，１２，等を経て工具が回転する、送り用伝達軸２，回転により５，７ａ，１０，７ｂ，８，へと伝わり摺動台９の一対が加工送りとして用いられ端面加工、丸軸加工、それに加えて、主軸台本体、あるいは加工物を長手方向に送りを掛ければ、回転加工用アッタチメント１８，では円柱、螺旋、多角柱等加工ができる。回転加工用アッタチメント１９，ではテーパー柱、多角柱、等加工ができる。
２）主軸を割り出し停止することで面板は固定された状態で工具回転伝達ギヤ軸３を回転させ１１，１２等へて加工工具を回転させ、送り用伝達軸２，回転により５，７ａ，１０，７ｂ，８へと伝わり摺動台９の一対が加工速送りとして用いられ、それに加え主軸台本体、あるいは加工物を長手方向に送りを掛ければ、回転加工用アタッチメント１８では、溝加工、スパーギヤ加工、多角柱の面加工、穴加工等、割り出し加工ができる。
３）旋削用アタッチメントを取付け、面板４を回転させ、送り用伝達軸２を回転させ、摺動台９を作動させると、端面の旋削加工になり長手方向の送りを掛けると、円筒やテーパーの旋削加工を行うことができる。
この様な構造を持つことで、加工工具を切削工具にすれば、削り加工用になり、ローラにすれば、塑性加工、砥石あるいはバフにすれば、磨き加工用になり、複合加工装置として、機能を発揮することができる。
【０００５】
【発明の実施の形態】
割出し機能付主軸面板に、回転加工も可能な工具を搭載した摺動台が、求心方向に前後送りすることと、本装置あるいは加工物が、長手方向に前後送りすることで、加工工具で、切削工具の場合は、エンドミル加工、ドリル加工、フライス加工、スパーギャ加工、旋削加工ができる。ローラ取り付けの場合は、転造加工、種々のスピニング加工、塑性加工ができる。砥石やバフの場合は、面、円筒、テーパーの磨き加工ができる。
以上の様な複合加工が、本装置によって可能となる。
【０００６】
【発明の効果】
本発明は、以上の説明の様な構造により、次の様な効果を得ることができる。
１．加工工具を取り替えることで、切削加工、塑性加工、磨き加工と様々な異種の加工ができる。
２，切削加工では、機能の組み合わせにより、フライス加工、エンドミル加工、穴加工、スパーギャー加工、旋削加工と複合加工ができる。
３．加工物回転をさせないので、遠心力によるワーク歪みが発生しない。
４．加工物を回転させないので、支持ベアリングが不用になり、加工物を引張支持した場合、加工力による振動が小さくでき、又、塑性加工においては、加工部の材料流れを良くすることができる。
【０００７】
【図面の簡単な説明】
【図１】面板内加工装置の加工工具と送り機構の上面断面図
【図２】面板内加工装置の加工工具と送り機構の側面断面図
【図３】面板内加工装置の正面図
【符号の説明】
１・・主軸
２・・送り用伝達軸
３・・工具回転伝達ギャ軸
４・・面板
５・・送り用太陽歯車
６・・工具用太陽歯車
７ａ・・アイドル歯車軸
７ｂ・・アイドル歯車軸
８・・ピニオンギャ
９・・摺動台
１０・・アイドル歯車軸
１１・・工具用アイドル歯車
１２・・工具用ギャ付きスプライン軸
１３・・工具用ベベル歯車セット
１４・・工具用歯車
１５・・工具用アイドル歯車セット
１６・・回転加工用工具
１７・・回転加工用工具
１８・・回転加工用アタッチメント
１９・・回転加工用アタッチメント
２０・・旋削用アタッチメント
【図１】
2004195632.tif 000002
【図２】
2004195632.tif 000003
【図３】
2004195632.tif 000004